(57)【要約】【課題】  安価かつ小型軽量にもかかわらず、強力な浄水機能を有し、人体に対しても良好に作用すると共に、被給水槽に対しても錆などの汚れが付着せず、また洗剤を少くして地球環境にも優しい家庭用浄水器を得る。【解決手段】  本体カートリッジ１０のケース内に浄水剤２０を充填し、両端部には、強力なマグネット１６ａ，１６ｂを取付ける。マグネットの磁気エネルギーが水道水に作用して、浸透力、溶解力、浄水力が向上するので、人体に対して良好な作用がより向上すると共に、洗濯力も向上して洗剤の量が大幅に減少可能となり、洗剤に対する費用の削減、地球環境に対する汚染の減少が可能になるという大きな効果がある。特に、マグネットと浄水剤２０の遠赤セラミックとの併用により、磁気エネルギーと遠赤外線エネルギーとの相乗作用が生じて上記効果が更に大となる。【選択図】      図１                                                  
2004261799.tif 000002
【特許請求の範囲】
【請求項１】
浄水剤が充填された本体ケースと、前記本体ケースの両端に設けられ給水用ホースに着脱自在なホース嵌合部と、前記本体ケースに設けられ水に対して磁気エネルギーを印加する磁石とを含むことを特徴とする浄水器。
【請求項２】
前記磁石は、前記本体ケースの給水口と排水口の少なくとも一方に設けられていることを特徴とする請求項１記載の浄水器。
【請求項３】
前記浄水剤は、遠赤外線セラミック、トルマリンセラミックの少なくとも一つであることを特徴とする請求項１または２記載の浄水器。
【請求項４】
前記本体ケースの給水口と排水口とには、前記浄水剤の径より小なる径を有する複数の貫通孔を有するスペーサーが、それぞれ設けられていることを特徴とする請求項１〜３いずれか記載の浄水器。
【請求項５】
前記給水口の前記スペーサーの給水面には、ゴミ侵入防止用のシャワーネットが設けられていることを特徴とする請求項４記載の浄水器。
【請求項６】
前記本体ケースの給水口と排水口の少なくとも一方が開放自在に構成されており、開放時に前記浄水剤を排除可能であることを特徴とする請求項１〜５いずれか記載の浄水器。
【発明の詳細な説明】
【技術分野】
【０００１】
本発明は浄水器に関し、特に水道蛇口から浴槽や洗濯槽等の被給水装置への給水の浄化をなす家庭用浄水器に関するものである。
【背景技術】
【０００２】
家庭用浄水器は、水道水の更なる品質向上や嗜好の変化等によって、一般に広く普及しており、そのほとんどは、水道の蛇口部分に直接取付ける様になっている。水道の蛇口の形状は、ユーザの好みやデザインの向上を図るために、種々のものがあり、これ等種々の形状の蛇口に取付けるには、浄水器の蛇口嵌合部分の構造が複雑になる。そこで、これ等種々の蛇口の形状に対して、個々に適合して取付け可能な様に、蛇口形状の各々に対応して複数種の蛇口嵌合部を有する浄水器を準備しておくことも考えられるが、コスト的にも極めて不利となる。
【０００３】
ここで、特許文献１を参照すると、水道の蛇口から風呂場におけるシャワーノズルまでの間の給水ホースの途中に浄水器を取付け、この浄水器を風呂場の壁面に固定して設置する構造のものが開示されている。
【特許文献１】登録実用新案第３００９６１５号公報
【発明の開示】
【発明が解決しようとする課題】
【０００４】
上述したシャワー用浄水器は、風呂場の壁面に固定して取付けられているうえに、給水ホースにも固定的に取付けられているために、浄水器を取替える作業が、一般のユーザには困難である。また、取付け場所を風呂場のシャワー部分に決めてしまうと、固定的に取付けられているために、他の場所へ移し替えをなす等の自由度が、程んどないという問題もある。更には、浄水器の交換が必要な場合にも、業者に依頼することが必要になるという欠点もある。
【０００５】
特に、家庭用の浄水器の場合には、小型及び安価で、かつ取り外しや交換が容易であり、更には、強力な浄水機能は勿論のこと、飲み水やお風呂の水として利用する場合には、浄水器を通った水が人体に対して悪影響を及ぼすことなく良好に作用する必要があり、また洗濯水として利用する場合には、洗剤を少なくしても洗濯機能が低下しないようにする必要がある。更にはまた、浴槽や洗濯槽に対しても、錆や汚れの付着がないようにすることも要求される。
【０００６】
これら全ての要求を満足しつつ、かつ小型で安価な交換可能な家庭用浄水器が求められている。
【０００７】
そこで、本発明はこのような要求に鑑みてなされたものであって、その目的とするところは、取付け場所の制限がなく、洗濯槽や浴槽等の家庭内の被給水槽に対して、自由に取付け取外しが可能な家庭用浄水器を提供することにある。
【０００８】
本発明の他の目的は、安価かつ小型軽量にもかかわらず、強力な浄水機能を有し、人体に対しても良好に作用すると共に、被給水槽に対しても錆などの汚れが付着せず、また洗剤を少なくして地球環境にも優しい家庭用浄水器を提供することである。
【課題を解決するための手段】
【０００９】
本発明によれば、浄水剤が充填された本体ケースと、前記本体ケースの両端に設けられ給水用ホースに着脱自在な嵌合部と、前記本体ケースに設けられ水に対して磁気エネルギーを印加する磁石とを含むことを特徴とする浄水器が得られる。
【００１０】
そして、前記磁石は、前記本体ケースの給水口と排水口の少なくとも一方に設けられていることを特徴とし、また前記浄水剤は、遠赤外線セラミック、トルマリンセラミックの少なくとも一つであることを特徴とする。更に、前記本体ケースの給水口と排水口とには、前記浄水剤の径より小なる径を有する複数の貫通孔を有するスペーサーが、それぞれ設けられていることを特徴とする。また、前記給水口の前記スペーサーの給水面には、ゴミ侵入防止用のシャワーネットが設けられていることを特徴とする。
【００１１】
更に、前記本体ケースの給水口と排水口の少なくとも一方が開放自在に構成されており、開放時に前記浄水剤を排除可能であることを特徴とする。
【発明の効果】
【００１２】
本発明によれば、浄水剤を充填した本体の両端部に、かつホースに対して着脱自在なホース嵌合部を設け、また強力な磁力を生成するマグネットを設けて水道水に対して磁気エネルギーを印加するようにしたので、極めて強力な浄水作用を有しつつ、かつ家庭用の浴槽や洗濯槽などの被給水槽に対して、ユーザが極めて簡単に取付けたり取り外したりすることができ、交換が容易となり、また低コストで広く供給できるという効果がある。
【００１３】
特に、マグネットを使用することにより、磁気エネルギーが作用して、水道水の浸透力、溶解力、浄水力が向上するので、人体に対して良好な作用がより向上すると共に、洗濯力も向上して洗剤の量が大幅に減少可能となり、洗剤に対する費用の削減、地球環境に対する汚染の減少が可能になるという大きな効果がある。特に、マグネットと遠赤セラミックとの併用により、磁気エネルギーと遠赤外線エネルギーとの相乗作用が生じて上記効果が更に大となるものである。
【発明を実施するための最良の形態】
【００１４】
以下に、本発明の実施の形態について図面を用いて説明する。図１は本発明の実施の形態の家庭用浄水器を示しており、部分的に内部を視認できるように、ケースを剥がした状態を示している。また、図２は図１のＡ−Ａ線矢視方向断面図であり、図３は図１のＢ−Ｂ線矢視方向断面図である。
【００１５】
これ等図を参照すると、本発明による浄水器は、カートリッジタイプの本体１０を構成する円筒状の主ケース１１と副ケース１２とを有しており、主ケース１１と副ケース１２とは互いに接着剤により一体化されている。これ等ケース１１，１２が一体化された本体１０の円筒状の内部空間には、浄水剤２０が充填されている。
【００１６】
副ケース１２の、主ケース１１に対する接着部とは反対側の円筒端部は、浄水剤２０が充填されている円筒空間の径よりも小さい径の円筒（小径円筒と称す）となっておりこの小径円筒の外周面には、互いに対向する位置に、マグネット１６ａを挿入するためのマグネット挿入孔１３ａが設けられている。これ等一対のマグネット挿入孔１３ａ内に、マグネット１６ａを挿入して接着剤にて固定することにより、この一対の対向マグネット１６ａによる磁気力が、その中を通る水に作用するようにしている。
【００１７】
同様に、主ケース１１の、副ケース１２に対する接着部とは反対側の円筒端部は、浄水剤２０が充填されている円筒空間の径よりも小さい径の円筒（小径円筒）となっており、この小径円筒の外周面には互いに対抗する位置に、マグネット１６ｂを挿入するためのマグネット挿入孔１３ｂが設けられている。これ等一対のマグネット挿入孔１３ｂ内に、マグネット１６ｂを挿入して接着剤にて固定することにより、この一対の対向マグネット１６ｂによる磁気力が、その中を通る水に作用するようにしている。
【００１８】
これ等小径円筒の先端部には、給水用ホース（図示せず）が着脱自在なホース嵌合部１５ａ，１５ｂが取付けられている。このホース嵌合部１５ａ，１５ｂには、ホース止めリング２１ａ，２１ｂが設けられており、図４に、給水用ホース３０とホース嵌合部１５ｂとを嵌合した状態を示している。なお、このホース嵌合部については、一般的に広く知られた構造のものを使用しており、特に本発明の特徴部分ではないので、その詳細説明は省略する。
【００１９】
図１においては、本体カートリッジ１０の副ケース１２側から水を供給し、主ケース１１側から浄化された水を排出するものとして示している。この場合、給水口となる副ケース１２の小径円筒部と浄水剤充填円筒部との境界部分には、シャワーネット１８とスペーサー１７ａとが、給水口からこの順に設けられている。シャワーネット１８は、図５に示す如く、ゴミ等の不要物の侵入を防止するためのネットである。
【００２０】
また、スペーサー１７ａは、図６に示す如く、浄水剤２０の径よりも小さい径を有する複数の貫通孔３１が設けられている。図６において、（ａ）はスペーサー１７ａの平面図であり、（ｂ）はそのＣ−Ｃ線矢視方向断面図である。図に示す如く、孔３１は複数列になる様設けられており、これ等列間には畝状の凸部３２が設けられている。
【００２１】
また、排出口となる主ケース１１の小径円筒部と浄水剤充填円筒部との境界部分には、スペーサー１７ｂが設けられており、シャワーネットは設けられていない。このスペーサー１７ｂは図６に示したスペーサー１７ａと同一構造のものである。
【００２２】
浄水剤２０としては、遠赤（遠赤外線）セラミックやトルマリンセラミックが用いられる。遠赤セラミックは遠赤外線を放射し、塩素臭の抑制、防藻、防錆等の効果があり、低温においても、遠赤外線の放射量が多く得られるものである。トルマリンセラミックは微弱電流を放射して、マイナスイオン効果によって、水道水を弱アルカリ還元水に変える働きを有している。これ等セラミックは約１，３００℃の高温で焼結されているために、耐久性、耐摩耗性に優れており、よって半永久的な使用が可能であり、交換や洗浄等のメンテナンスが不要となるという利点がある。
【００２３】
食生活や疲労、ストレスなどの要因で人間の体は酸化してゆき、健康上の問題が生じてくる。そこで、このトルマリンセラミックのマイナスイオン効果により、血液を弱アルカリ性にすることによって、人間の本来有する免疫機能が高まる。また、人体の皮膚の電気抵抗の低いツボから入るマイナスイオンは、弱まった細胞を活性化し、疲労回復、肩こり、アレルギー疾患、アトピー、その他成人病や婦人病にも効果が期待できる。
【００２４】
このトルマリンセラミックのマイナスイオン効果と、遠赤セラミックの遠赤外線効果との相乗作用により、人間の毛細血管を広げて血行を促進するため、身体の芯から温まり、新陳代謝を活発にする温熱効果もある。
【００２５】
また、水中にトルマリンを投入すると、トルマリンから放射される微弱電流の電気分解により、雑菌が減菌され、弱アルカリ還元水に変化することになり、更には、図７に示す如く、水分子のクラスター１００を細くするために、細胞への吸収率も高まることになる。なお、図７において、２００は水分子のクラスターに含まれている塩素や有害物質を示しており、水の電気分解後に、水分子のクラスターが小さく分解され、有害物質は分解されて無害となる。２０１は分解後の無害となった物質を示している。
【００２６】
従って、この浄水器に水道水を導入して浴槽へ供給すれば、人体にとって極めて良好な風呂水となる。また、塩素臭の抑制や、防藻、防錆の効果があるために、浴槽や洗濯槽の錆や汚れが防止されるのである。
【００２７】
更に、マグネット１６ａ，１６ｂの効果について説明する。先ず、第一に活水効果がある。磁気と電磁波の影響により、酸化還元電位が低下し、浸透圧が高くなる。液体、気体の分子間結合が分断され、分子が小さくなる。活性酸素が潜在活性酸素に変換され、イオン活性化した水は、ミネラルの溶解度が高くなり、人体の皮膚に吸収され易くなる。
【００２８】
マグネット１６ａ，１６ｂとして、例えば、３２００ガウス程度の強力なものを用いることにより、水道水がマグネット間を通過することにより、強力な磁気エネルギーを受けると同時に、遠赤セラミックによる遠赤外線のエネルギーをも受けることになる。その結果、水分子の集合クラスターが細分化され、微粒子化されることにより、水本来の力が取戻されて、浸透力、溶解力、浄水力などの活性化の向上となる。従って、洗剤を溶かす力が強くなり、繊維の奥まで入り込むことができ、従来の１／１０程度の洗剤量で選択が可能となり、洗剤の量が少くなって、地球環境にも優しいものとなると共に、洗剤に対する費用も削減できるのである。
【００２９】
第二に抗菌、防藻効果がある。雑菌、ウィルス、バクテリアや藻類に影響を及ぼし、増殖させないようにする。また、磁力効果が細胞や核に作用して増殖を抑制する。
【００３０】
第三に防錆効果がある。磁気と電磁波の影響により、赤錆が黒錆に変化し、浴槽や洗濯槽の赤錆は生じなくなる。
【００３１】
第四に美容効果がある。磁気と電磁波の影響により、水道水に含まれる残留塩素は活動が制限され、液体、気体の分子間結合が分断され、不活性化し易くなる。
【００３２】
上記実施の形態においては、浄水剤２０として遠赤外セラミックとトルマリンセラミックとを混合して用いているが、いずれか一方のみでも、浄水効果は充分である。また、マグネット１６ａ，１６ｂを給入口と排出口との両方に設けているが、いずれか一方のみに設けても良いことは勿論である。更に、主ケース１１や副ケース１２は外部からその状態（汚れ具合い等）を目視できるように、透明の、例えばプラスチック材から構成しても良い。
【００３３】
図６に示したスペーサー１７ａや１７ｂを用いる理由は、ボール状の浄水剤２０によって、水の流れが阻止されるのを防止するためであり、貫通孔３１をスペーサー全体に亘って、均一に複数設けることにより、水が中心部分のみに流れるのを防止して、円筒空間に亘って、ほぼ均一に流れるようにしたものである。
【００３４】
なお、マグネットを設ける位置は図１の例に限定されるものではなく、要は、水に対して磁気エネルギーを印加できる様な構造とすれば良い。また、マグネットとして、円柱状のものを用いているが、帯状マグネットを円筒状ケースに巻き付けても良いものである。
【００３５】
図８は本発明の他の実施の形態を示す図であり、（Ａ）は側面図、（Ｂ）は（Ａ）の縦断面図であり、図１と同等部分は同一符号にて示している。本例では、本体１０の主ケース１１が、その両端部、すなわち給水口及び排水口において、開放自在となっており、開放時に、ケースに充填されている使用済みの浄水剤（図１の２０を参照）を排除して新しい浄水剤に交換することを容易とした構造である。
【００３６】
すなわち、副ケース１２ａ，１２ｂと主ケース１１とを、ネジ４１ａ，４１ｂで螺合自在な構成としている。なお、本例では、マグネット１６ａ，１６ｂをリング状として、これを副ケース１２ａ，１２ｂの外周部に設けており、図１の例と同等の作用効果を有する。４２ａ，４２ｂはＯリングを示している。
【００３７】
本例においても、図１の例と同様に、スペーサ１７ａ，１７ｂ、シャワーネット（図示せず）が設けられているものとする。そして、ホースは、特に図示しないが、ホース嵌合部１５ａ，１５ｂとホース止めリング２１ａ，２１ｂとの間に、それぞれ固定されることになる。
【００３８】
なお、主ケース１１の両端部で開放可能な構造とする代わりに、どちらか一端部分で開放可能な構造とすればよく、要は、充填浄水剤を取り替えるようにできれば良いものである。
【図面の簡単な説明】
【００３９】
【図１】本発明の一実施の形態を示し、一部透視部分を含む図である。
【図２】図１のＡ−Ａ線に沿う矢視方向断面図である。
【図３】図１のＢ−Ｂ線に沿う矢視方向断面図である。
【図４】本発明の実施の形態の浄水器の使用態様を示す図である。
【図５】図１におけるシャワーネットの例を示す図である。
【図６】図１におけるスペーサーの例を示す図である。
【図７】浄水器の浄水作用を説明するための図である。
【図８】本発明の他の実施の形態の側面図（Ａ）及び断面図（Ｂ）である。
【符号の説明】
【００４０】
１０  本体（カートリッジ）
１１  主ケース
１２  副ケース
１３ａ，１３ｂ  マグネット挿入孔
１５ａ，１５ｂ  ホース嵌合部
１６ａ，１６ｂ  マグネット
１７ａ，１７ｂ  スペーサー
１８  シャワーネット
２０  浄水剤
２１ａ，２１ｂ  ホース止めリング
３０  ホース
３１  貫通孔
３２  畝状凸部
４１ａ，４１ｂ  ねじ
４２ａ，４２ｂ  Ｏリング
【図１】
2004261799.tif 000003
【図２】
2004261799.tif 000004
【図３】
2004261799.tif 000005
【図４】
2004261799.tif 000006
【図５】
2004261799.tif 000007
【図６】
2004261799.tif 000008
【図７】
2004261799.tif 000009
【図８】
2004261799.tif 000010